【手続補正書】
【提出日】令和3年10月11日(2021.10.11)
【手続補正１】
【補正対象書類名】特許請求の範囲
【補正対象項目名】全文
【補正方法】変更
【補正の内容】
【特許請求の範囲】
【請求項１】
熱エネルギー式電気化学セルであって、前記熱エネルギー式電気化学セルは、
アノードと、
カソードと、
固体金属ポリマー／ガラス電解質と
を備え、
前記固体金属ポリマー／ガラス電解質は、
全固体金属ポリマー／ガラス電解質重量と比較して、重量比で１％〜５０％の金属ポリマーと、
前記全固体金属ポリマー／ガラス電解質重量と比較して、重量比で５０％〜９０％の固体ガラス電解質と
を備え、
前記固体ガラス電解質は、
作業カチオンと、
電気双極子と
を備えている、熱エネルギー式電気化学セル。
【請求項２】
前記熱エネルギー式電気化学セルは、所与の温度において、または所与の温度範囲内において、同一のアノードと、同一のカソードと、前記固体ガラス電解質とを有するが、前記金属ポリマーを欠いている電気化学セルの少なくとも８５％の電力（Ｐｄｉｓ）を供給する、請求項１に記載の熱エネルギー式電気化学セル。
【請求項３】
前記熱エネルギー式電気化学セルは、所与の温度において、または所与の温度範囲内において、同一のアノードと、同一のカソードと、前記固体ガラス電解質とを有するが、前記金属ポリマーを欠いている電気化学セルの少なくとも１２５％の電力（Ｐｄｉｓ）を供給する、請求項１に記載の熱エネルギー式電気化学セル。
【請求項４】
前記熱エネルギー式電気化学セルは、１２０ＧＰａ／ｍｍ２より小さいヤング率を有する、請求項１に記載の熱エネルギー式電気化学セル。
【請求項５】
前記固体金属ポリマー／ガラス電解質は、１２０ＧＰａ／ｍｍ２より小さいヤング率を有する、請求項１に記載の熱エネルギー式電気化学セル。
【請求項６】
前記熱エネルギー式電気化学セルは、少なくとも１ｍ２の最大外部表面の表面積を有する、請求項１に記載の熱エネルギー式電気化学セル。
【請求項７】
前記固体金属ポリマー／ガラス電解質は、２５℃における前記固体ガラス電解質のイオン伝導率の少なくとも２５％であるイオン伝導率を有する、請求項１に記載の熱エネルギー式電気化学セル。
【請求項８】
前記アノードは、金属箔を備えている、請求項１に記載の熱エネルギー式電気化学セル。
【請求項９】
前記アノードは、炭素を備えている、請求項１に記載の熱エネルギー式電気化学セル。
【請求項１０】
前記金属ポリマーは、金属ポリアクリル酸塩を備えている、請求項１に記載の熱エネルギー式電気化学セル。
【請求項１１】
前記金属ポリアクリル酸塩は、ポリアクリル酸ナトリウムを備えている、請求項１０に記載の熱エネルギー式電気化学セル。
【請求項１２】
前記金属ポリマーは、金属ポリエチレングリコールを備えている、請求項１に記載の熱エネルギー式電気化学セル。
【請求項１３】
前記金属ポリマーにおける金属は、ナトリウム（Ｎａ）、リチウム（Ｌｉ）、またはアルミニウム（Ａｌ）を備えている、請求項１に記載の熱エネルギー式電気化学セル。
【請求項１４】
前記固体金属ポリマー／ガラス電解質は、前記カソード、前記アノード、または両方に接着する、請求項１に記載の熱エネルギー式電気化学セル。
【請求項１５】
前記作業カチオンは、リチウムイオン（Ｌｉ＋）、ナトリウムイオン（Ｎａ＋）、カリウムイオン（Ｋ＋）、マグネシウムイオン（Ｍｇ２＋）、銅イオン（Ｃｕ＋）、またはアルミニウムイオン（Ａｌ３＋）を備えている、請求項１に記載の熱エネルギー式電気化学セル。
【請求項１６】
前記双極子は、一般式ＡｙＸｚまたは一般式Ａｙ−１Ｘｚ−ｑを有し、Ａは、Ｌｉ、Ｎａ、Ｋ、Ｍｇ、および／またはＡｌであり、Ｘは、Ｓおよび／またはＯであり、０＜ｚ≦３であり、ｙは、一般式ＡｙＸｚの双極子の電荷中性または一般式Ａｙ−１Ｘｚ−ｑの双極子の−ｑの電荷を確実にするために十分であり、１≦ｑ≦３である、請求項１に記載の熱エネルギー式電気化学セル。
【請求項１７】
前記双極子は、双極子添加剤の前記固体ガラス電解質重量の最大５０重量％を備えている、請求項１６に記載の熱エネルギー式電気化学セル。
【請求項１８】
前記双極子添加剤は、一般式ＡｙＸｚまたは一般式Ａｙ−１Ｘｚ−ｑを有する、化合物のうちの１つまたは組み合わせを備え、Ａは、Ｌｉ、Ｎａ、Ｋ、Ｍｇ、および／またはＡｌであり、Ｘは、Ｓ、Ｏ、Ｓｉ、および／またはＯＨであり、０＜ｚ≦３であり、ｙは、一般式ＡｙＸｚの双極子添加剤の電荷中性または一般式Ａｙ−１Ｘｚ−ｑの双極子添加剤の−ｑの電荷を確実にするために十分であり、１≦ｑ≦３である、請求項１７に記載の熱エネルギー式電気化学セル。
【請求項１９】
前記カソードは、金属箔を備えている、請求項１に記載の熱エネルギー式電気化学セル。
【請求項２０】
前記カソードは、炭素を備えている、請求項１に記載の熱エネルギー式電気化学セル。
【請求項２１】
前記カソードは、金属発泡体を備えている、請求項１に記載の熱エネルギー式電気化学セル。
【請求項２２】
前記カソードは、金属酸化物を備えている、請求項１に記載の熱エネルギー式電気化学セル。
【請求項２３】
前記熱エネルギー式電気化学セルは、太陽熱によってエネルギー供給される、請求項１に記載の熱エネルギー式電気化学セル。
【請求項２４】
前記熱エネルギー式電気化学セルは、体熱によってエネルギー供給される、請求項１に記載の熱エネルギー式電気化学セル。
【請求項２５】
前記熱エネルギー式電気化学セルは、廃熱によってエネルギー供給される、請求項１に記載の熱エネルギー式電気化学セル。
【請求項２６】
請求項１に記載の熱エネルギー式電気化学セルを備えている熱エネルギー式バッテリシステム。
【請求項２７】
熱エネルギー式バッテリシステムであって、前記熱エネルギー式バッテリシステムは、
請求項１に記載の熱エネルギー式電気化学セルと、
前記熱エネルギー式電気化学セルに電気的に接続された再充電可能バッテリまたは燃料電池と
を備えている、熱エネルギー式バッテリシステム。
【請求項２８】
発熱構成要素、太陽光に一般的にさらされる部品、または両方と、熱エネルギー式電気化学セルとを備える車両であって、前記熱エネルギー式電気化学セルは、
アノードと、
カソードと、
固体金属ポリマー／ガラス電解質と
を備え、
前記金属ポリマーおよび前記ガラス電解質は、
全固体金属ポリマー／ガラス電解質重量と比較して、重量比で１％〜５０％の金属ポリマーと、
前記全固体金属ポリマー／ガラス電解質重量と比較して、重量比で５０％〜９０％の固体ガラス電解質と
を備えるように、互いに混合されており、
前記固体ガラス電解質は、
作業カチオンと、
電気双極子と
を備えている、車両。
【請求項２９】
前記車両は、発熱構成要素を備え、前記熱エネルギー式電気化学セルは、前記発熱構成要素からの熱を捕捉するように位置付けられている、請求項２８に記載の車両。
【請求項３０】
前記車両は、太陽光に一般的にさらされる部品を備え、前記熱エネルギー式電気化学セルは、前記太陽光に一般的にさらされる部品内に位置している、請求項２８に記載の車両。
【請求項３１】
前記太陽光に一般的にさらされる部品は、車、バス、またはトラックの屋根またはボンネットを備えている、請求項３０に記載の車両。
【請求項３２】
前記太陽光に一般的にさらされる部品は、飛行機またはドローンの翼または上側胴体を備えている、請求項３０に記載の車両。
【請求項３３】
前記太陽光に一般的にさらされる部品は、船の甲板または上部構造を備えている、請求項３０に記載の車両。
【請求項３４】
前記船の甲板または上部構造は、貨物カバー、帆、および太陽エネルギー収集構造を備えている、請求項３３に記載の車両。
【請求項３５】
前記車両は、廃熱を発生させるエネルギー源を備え、前記熱エネルギー式電気化学セルは、前記廃熱を捕捉するように位置付けられている、請求項２８に記載の車両。
【請求項３６】
廃熱を発生させる前記エネルギー源は、エンジンを備えている、請求項３５に記載の車両。
【請求項３７】
前記熱エネルギー式電気化学セルは、所与の温度において、または所与の温度範囲内において、同一のアノードと、同一のカソードと、前記固体ガラス電解質とを有するが、前記金属ポリマーを欠いている電気化学セルの少なくとも８５％の電力（Ｐｄｉｓ）を供給する、請求項２８に記載の車両。
【請求項３８】
前記熱エネルギー式電気化学セルは、所与の温度において、または所与の温度範囲内において、同一のアノードと、同一のカソードと、前記固体ガラス電解質とを有するが、前記金属ポリマーを欠いている電気化学セルの少なくとも１２５％の電力（Ｐｄｉｓ）を供給する、請求項２８に記載の車両。
【請求項３９】
前記熱エネルギー式電気化学セルは、１２０ＧＰａ／ｍｍ２より小さいヤング率を有する、請求項２８に記載の車両。
【請求項４０】
前記固体金属ポリマー／ガラス電解質は、１２０ＧＰａ／ｍｍ２より小さいヤング率を有する、請求項２８に記載の車両。
【請求項４１】
前記熱エネルギー式電気化学セルは、少なくとも１ｍ２の最大外部表面の表面積を有する、請求項２８に記載の車両。
【請求項４２】
前記固体金属ポリマー／ガラス電解質は、２５℃における前記固体ガラス電解質のイオン伝導率の少なくとも２５％であるイオン伝導率を有する、請求項２８に記載の車両。
【請求項４３】
前記アノードは、金属箔を備えている、請求項２８に記載の車両。
【請求項４４】
前記アノードは、炭素を備えている、請求項２８に記載の車両。
【請求項４５】
前記金属ポリマーは、金属ポリアクリル酸塩を備えている、請求項２８に記載の車両。
【請求項４６】
前記金属ポリアクリル酸塩は、ポリアクリル酸ナトリウムを備えている、請求項４５に記載の車両。
【請求項４７】
前記金属ポリマーは、金属ポリエチレングリコールを備えている、請求項２８に記載の車両。
【請求項４８】
前記金属ポリマーにおける金属は、ナトリウム（Ｎａ）、リチウム（Ｌｉ）、またはアルミニウム（Ａｌ）を備えている、請求項２８に記載の車両。
【請求項４９】
前記固体金属ポリマー／ガラス電解質は、前記カソード、前記アノード、または両方に接着する、請求項２８に記載の車両。
【請求項５０】
前記作業カチオンは、リチウムイオン（Ｌｉ＋）、ナトリウムイオン（Ｎａ＋）、カリウムイオン（Ｋ＋）、マグネシウムイオン（Ｍｇ２＋）、銅イオン（Ｃｕ＋）、またはアルミニウムイオン（Ａｌ３＋）を備えている、請求項２８に記載の車両。
【請求項５１】
前記双極子は、一般式ＡｙＸｚまたは一般式Ａｙ−１Ｘｚ−ｑを有し、Ａは、Ｌｉ、Ｎａ、Ｋ、Ｍｇ、および／またはＡｌであり、Ｘは、Ｓおよび／またはＯであり、０＜ｚ≦３であり、ｙは、一般式ＡｙＸｚの双極子の電荷中性または一般式Ａｙ−１Ｘｚ−ｑの双極子の−ｑの電荷を確実にするために十分であり、１≦ｑ≦３である、請求項２８に記載の車両。
【請求項５２】
前記双極子は、双極子添加剤の前記固体ガラス電解質重量の最大５０重量％を備えている、請求項５１に記載の車両。
【請求項５３】
前記双極子添加剤は、一般式ＡｙＸｚまたは一般式Ａｙ−１Ｘｚ−ｑを有する、化合物のうちの１つまたは組み合わせを備え、Ａは、Ｌｉ、Ｎａ、Ｋ、Ｍｇ、および／またはＡｌであり、Ｘは、Ｓ、Ｏ、Ｓｉ、および／またはＯＨであり、０＜ｚ≦３であり、ｙは、一般式ＡｙＸｚの双極子添加剤の電荷中性または一般式Ａｙ−１Ｘｚ−ｑの双極子添加剤の−ｑの電荷を確実にするために十分であり、１≦ｑ≦３である、請求項５２に記載の車両。
【請求項５４】
前記カソードは、金属箔を備えている、請求項２８に記載の車両。
【請求項５５】
前記カソードは、炭素を備えている、請求項２８に記載の車両。
【請求項５６】
前記カソードは、金属発泡体を備えている、請求項２８に記載の車両。
【請求項５７】
前記カソードは、金属酸化物を備えている、請求項２８に記載の車両。
【請求項５８】
前記熱エネルギー式電気化学セルに電気的に接続された再充電可能バッテリまたは燃料電池をさらに備えている、請求項２８に記載の車両。
【請求項５９】
少なくとも１つの屋根または壁を備える建物であって、前記少なくとも１つの屋根または壁は、熱エネルギー式電気化学セルを備え、前記熱エネルギー式電気化学セルは、
アノードと、
カソードと、
固体金属ポリマー／ガラス電解質と
を備え、
前記金属ポリマーおよび前記ガラス電解質は、
全固体金属ポリマー／ガラス電解質重量と比較して、重量比で１％〜５０％の金属ポリマーと、
前記全固体金属ポリマー／ガラス電解質重量と比較して、重量比で５０％〜９０％の固体ガラス電解質と
を備えるように、互いに混合されており、
前記固体ガラス電解質は、
作業カチオンと、
電気双極子と
を備えている、建物。
【請求項６０】
前記少なくとも１つの屋根は、外側屋根層として前記熱エネルギー式電気化学セルを備えている、請求項５９に記載の建物。
【請求項６１】
前記少なくとも１つの屋根は、保護屋根層の下に前記熱エネルギー式電気化学セルを備えている、請求項５９に記載の建物。
【請求項６２】
前記保護屋根層は、屋根板を備えている、請求項６１に記載の建物。
【請求項６３】
前記保護屋根層は、内部屋根表面上または内部層の下に前記熱エネルギー式電気化学セルを備えている、請求項６１に記載の建物。
【請求項６４】
前記内部層は、天井を備えている、請求項６３に記載の建物。
【請求項６５】
前記少なくとも１つの壁は、前記熱エネルギー式電気化学セルを備える外壁である、請求項５９に記載の建物。
【請求項６６】
前記少なくとも１つの壁は、前記熱エネルギー式電気化学セルを備える内壁である、請求項５９に記載の建物。
【請求項６７】
前記内壁は、発熱機器を包囲する、請求項６６に記載の建物。
【請求項６８】
前記熱エネルギー式電気化学セルは、所与の温度において、または所与の温度範囲内において、同一のアノードと、同一のカソードと、前記固体ガラス電解質とを有するが、前記金属ポリマーを欠いている電気化学セルの少なくとも８５％の電力（Ｐｄｉｓ）を供給する、請求項５９に記載の建物。
【請求項６９】
前記熱エネルギー式電気化学セルは、所与の温度において、または所与の温度範囲内において、同一のアノードと、同一のカソードと、前記固体ガラス電解質とを有するが、前記金属ポリマーを欠いている電気化学セルの少なくとも１２５％の電力（Ｐｄｉｓ）を供給する、請求項５９に記載の建物。
【請求項７０】
前記熱エネルギー式電気化学セルは、１２０ＧＰａ／ｍｍ２より小さいヤング率を有する、請求項５９に記載の建物。
【請求項７１】
前記固体金属ポリマー／ガラス電解質は、１２０ＧＰａ／ｍｍ２より小さいヤング率を有する、請求項５９に記載の建物。
【請求項７２】
前記熱エネルギー式電気化学セルは、少なくとも１ｍ２の最大外部表面の表面積を有する、請求項５９に記載の建物。
【請求項７３】
前記固体金属ポリマー／ガラス電解質は、２５℃における前記固体ガラス電解質のイオン伝導率の少なくとも２５％であるイオン伝導率を有する、請求項５９に記載の建物。
【請求項７４】
前記アノードは、金属箔を備えている、請求項５９に記載の建物。
【請求項７５】
前記アノードは、炭素を備えている、請求項５９に記載の建物。
【請求項７６】
前記金属ポリマーは、金属ポリアクリル酸塩を備えている、請求項５９に記載の建物。
【請求項７７】
前記金属ポリアクリル酸塩は、ポリアクリル酸ナトリウムを備えている、請求項７６に記載の建物。
【請求項７８】
前記金属ポリマーは、金属ポリエチレングリコールを備えている、請求項５９に記載の建物。
【請求項７９】
前記金属ポリマーにおける金属は、ナトリウム（Ｎａ）、リチウム（Ｌｉ）、またはアルミニウム（Ａｌ）を備えている、請求項５９に記載の建物。
【請求項８０】
前記固体金属ポリマー／ガラス電解質は、前記カソード、前記アノード、または両方に接着する、請求項５９に記載の建物。
【請求項８１】
前記作業カチオンは、リチウムイオン（Ｌｉ＋）、ナトリウムイオン（Ｎａ＋）、カリウムイオン（Ｋ＋）、マグネシウムイオン（Ｍｇ２＋）、銅イオン（Ｃｕ＋）、またはアルミニウムイオン（Ａｌ３＋）を備えている、請求項５９に記載の建物。
【請求項８２】
前記双極子は、一般式ＡｙＸｚまたは一般式Ａｙ−１Ｘｚ−ｑを有し、Ａは、Ｌｉ、Ｎａ、Ｋ、Ｍｇ、および／またはＡｌであり、Ｘは、Ｓおよび／またはＯであり、０＜ｚ≦３であり、ｙは、一般式ＡｙＸｚの双極子の電荷中性または一般式Ａｙ−１Ｘｚ−ｑの双極子の−ｑの電荷を確実にするために十分であり、１≦ｑ≦３である、請求項５９に記載の建物。
【請求項８３】
前記双極子は、双極子添加剤の前記固体ガラス電解質重量の最大５０重量％を備えている、請求項８２に記載の建物。
【請求項８４】
前記双極子添加剤は、一般式ＡｙＸｚまたは一般式Ａｙ−１Ｘｚ−ｑを有する、化合物のうちの１つまたは組み合わせを備え、Ａは、Ｌｉ、Ｎａ、Ｋ、Ｍｇ、および／またはＡｌであり、Ｘは、Ｓ、Ｏ、Ｓｉ、および／またはＯＨであり、０＜ｚ≦３であり、ｙは、一般式ＡｙＸｚの双極子添加剤の電荷中性または一般式Ａｙ−１Ｘｚ−ｑの双極子添加剤の−ｑの電荷を確実にするために十分であり、１≦ｑ≦３である、請求項８３に記載の建物。
【請求項８５】
前記カソードは、金属箔を備えている、請求項５９に記載の建物。
【請求項８６】
前記カソードは、炭素を備えている、請求項５９に記載の建物。
【請求項８７】
前記カソードは、金属発泡体を備えている、請求項５９に記載の建物。
【請求項８８】
前記カソードは、金属酸化物を備えている、請求項５９に記載の建物。
【請求項８９】
前記熱エネルギー式電気化学セルは、太陽熱によってエネルギー供給される、請求項５９に記載の建物。
【請求項９０】
前記熱エネルギー式電気化学セルは、廃熱によってエネルギー供給される、請求項５９に記載の建物。
【請求項９１】
前記熱エネルギー式電気化学セルに電気的に接続された再充電可能バッテリまたは燃料電池をさらに備えている、請求項５９に記載の建物。
【手続補正２】
【補正対象書類名】明細書
【補正対象項目名】０００９
【補正方法】変更
【補正の内容】
【０００９】
本開示は、上記または別様に本明細書の任意の熱エネルギー式電気化学セルと、熱エネルギー式電気化学セルに電気的に接続された再充電可能バッテリまたは燃料電池とを含む熱エネルギー式バッテリシステムも含む。
本願明細書は、例えば、以下の項目も提供する。
（項目１）
熱エネルギー式電気化学セルであって、前記熱エネルギー式電気化学セルは、
アノードと、
カソードと、
固体金属ポリマー／ガラス電解質と
を備え、
前記固体金属ポリマー／ガラス電解質は、
全固体金属ポリマー／ガラス電解質重量と比較して、重量比で１％〜５０％の金属ポリマーと、
前記全固体金属ポリマー／ガラス電解質重量と比較して、重量比で５０％〜９０％の固体ガラス電解質と
を備え、
前記固体ガラス電解質は、
作業カチオンと、
電気双極子と
を備えている、熱エネルギー式電気化学セル。
（項目２）
前記熱エネルギー式電気化学セルは、所与の温度において、または所与の温度範囲内において、同一のアノードと、同一のカソードと、前記固体ガラス電解質とを有するが、前記金属ポリマーを欠いている電気化学セルの少なくとも８５％の電力（Ｐｄｉｓ）を供給する、項目１に記載の熱エネルギー式電気化学セル。
（項目３）
前記熱エネルギー式電気化学セルは、所与の温度において、または所与の温度範囲内において、同一のアノードと、同一のカソードと、前記固体ガラス電解質とを有するが、前記金属ポリマーを欠いている電気化学セルの少なくとも１２５％の電力（Ｐｄｉｓ）を供給する、項目１に記載の熱エネルギー式電気化学セル。
（項目４）
前記熱エネルギー式電気化学セルは、１２０ＧＰａ／ｍｍ２より小さいヤング率を有する、項目１に記載の熱エネルギー式電気化学セル。
（項目５）
前記固体金属ポリマー／ガラス電解質は、１２０ＧＰａ／ｍｍ２より小さいヤング率を有する、項目１に記載の熱エネルギー式電気化学セル。
（項目６）
前記熱エネルギー式電気化学セルは、少なくとも１ｍ２の最大外部表面の表面積を有する、項目１に記載の熱エネルギー式電気化学セル。
（項目７）
前記固体金属ポリマー／ガラス電解質は、２５℃における前記固体ガラス電解質のイオン伝導率の少なくとも２５％であるイオン伝導率を有する、項目１に記載の熱エネルギー式電気化学セル。
（項目８）
前記アノードは、金属箔を備えている、項目１に記載の熱エネルギー式電気化学セル。
（項目９）
前記アノードは、炭素を備えている、項目１に記載の熱エネルギー式電気化学セル。
（項目１０）
前記金属ポリマーは、金属ポリアクリル酸塩を備えている、項目１に記載の熱エネルギー式電気化学セル。
（項目１１）
前記金属ポリアクリル酸塩は、ポリアクリル酸ナトリウムを備えている、項目１０に記載の熱エネルギー式電気化学セル。
（項目１２）
前記金属ポリマーは、金属ポリエチレングリコールを備えている、項目１に記載の熱エネルギー式電気化学セル。
（項目１３）
前記金属ポリマーにおける金属は、ナトリウム（Ｎａ）、リチウム（Ｌｉ）、またはアルミニウム（Ａｌ）を備えている、項目１に記載の熱エネルギー式電気化学セル。
（項目１４）
前記固体金属ポリマー／ガラス電解質は、前記カソード、前記アノード、または両方に接着する、項目１に記載の熱エネルギー式電気化学セル。
（項目１５）
前記作業カチオンは、リチウムイオン（Ｌｉ＋）、ナトリウムイオン（Ｎａ＋）、カリウムイオン（Ｋ＋）、マグネシウムイオン（Ｍｇ２＋）、銅イオン（Ｃｕ＋）、またはアルミニウムイオン（Ａｌ３＋）を備えている、項目１に記載の熱エネルギー式電気化学セル。
（項目１６）
前記双極子は、一般式ＡｙＸｚまたは一般式Ａｙ−１Ｘｚ−ｑを有し、Ａは、Ｌｉ、Ｎａ、Ｋ、Ｍｇ、および／またはＡｌであり、Ｘは、Ｓおよび／またはＯであり、０＜ｚ≦３であり、ｙは、一般式ＡｙＸｚの双極子の電荷中性または一般式Ａｙ−１Ｘｚ−ｑの双極子の−ｑの電荷を確実にするために十分であり、１≦ｑ≦３である、項目１に記載の熱エネルギー式電気化学セル。
（項目１７）
前記双極子は、双極子添加剤の前記固体ガラス電解質重量の最大５０重量％を備えている、項目１６に記載の熱エネルギー式電気化学セル。
（項目１８）
前記双極子添加剤は、一般式ＡｙＸｚまたは一般式Ａｙ−１Ｘｚ−ｑを有する、化合物のうちの１つまたは組み合わせを備え、Ａは、Ｌｉ、Ｎａ、Ｋ、Ｍｇ、および／またはＡｌであり、Ｘは、Ｓ、Ｏ、Ｓｉ、および／またはＯＨであり、０＜ｚ≦３であり、ｙは、一般式ＡｙＸｚの双極子添加剤の電荷中性または一般式Ａｙ−１Ｘｚ−ｑの双極子添加剤の−ｑの電荷を確実にするために十分であり、１≦ｑ≦３である、項目１７に記載の熱エネルギー式電気化学セル。
（項目１９）
前記カソードは、金属箔を備えている、項目１に記載の熱エネルギー式電気化学セル。
（項目２０）
前記カソードは、炭素を備えている、項目１に記載の熱エネルギー式電気化学セル。
（項目２１）
前記カソードは、金属発泡体を備えている、項目１に記載の熱エネルギー式電気化学セル。
（項目２２）
前記カソードは、金属酸化物を備えている、項目１に記載の熱エネルギー式電気化学セル。
（項目２３）
前記熱エネルギー式電気化学セルは、太陽熱によってエネルギー供給される、項目１に記載の熱エネルギー式電気化学セル。
（項目２４）
前記熱エネルギー式電気化学セルは、体熱によってエネルギー供給される、項目１に記載の熱エネルギー式電気化学セル。
（項目２５）
前記熱エネルギー式電気化学セルは、廃熱によってエネルギー供給される、項目１に記載の熱エネルギー式電気化学セル。
（項目２６）
項目１に記載の熱エネルギー式電気化学セルを備えている熱エネルギー式バッテリシステム。
（項目２７）
熱エネルギー式バッテリシステムであって、前記熱エネルギー式バッテリシステムは、
項目１に記載の熱エネルギー式電気化学セルと、
前記熱エネルギー式電気化学セルに電気的に接続された再充電可能バッテリまたは燃料電池と
を備えている、熱エネルギー式バッテリシステム。